(57)【要約】【課題】設置状態およびプロジェクタ本体21の動作位置に拘らずプロジェクタ本体21の冷却効率を確保した照明装置12を提供する。【解決手段】台座部23を置き台13などの任意の構造物に取り付けた状態でも、プロジェクタ本体21を収容した筐体本体31を任意の動作させた状態でも、吸気口38、あるいは、第１通気孔49と第２通気孔とを介して吸気口38から筐体本体31内部へと外気を吸い込んでプロジェクタ本体21を冷却する。設置状態およびプロジェクタ本体21の動作位置に拘らず一定量の外気を筐体本体31内に確実に通過させて、プロジェクタ本体21の冷却効率を向上できる。【選択図】図１
2008250279.tif 000002
【特許請求の範囲】
【請求項１】
台座部通気孔を備え、構造物に設置される台座部と；
冷却装置を備えた照明装置本体と；
この照明装置本体を収容し、冷却装置の駆動により冷却用の外気を吸い込む吸気口と、この吸気口から吸い込まれ照明装置本体を冷却した外気を排気する排気口とを有する筐体本体、および、台座部に取り付けられ、吸気口と排気口との少なくともいずれか一方が台座部側に対向可能となるように筐体本体を可動的に支持するとともに、台座部通気孔と、台座部側に対向した吸気口と排気口とのいずれか一方とに連通する筐体通気孔を有する筐体支持部を備えた筐体と；
を具備していることを特徴とする照明装置。
【請求項２】
筐体内でかつ照明装置本体の外部に設けられ、筐体内に照明装置本体から発生した熱を、照明装置本体を介することなく排気口側へと送るファン
を具備していることを特徴とする請求項１記載の照明装置。
【請求項３】
台座部は、構造物から台座部を露出した状態で吊り下げられる吊り下げ設置、天井側に設けられた孔部へ埋め込んで天井の上方の構造物に設置する埋め込み設置、および、所定の設置面上への置き設置のいずれかの設置を可能とした
ことを特徴とする請求項１または２記載の照明装置。
【発明の詳細な説明】
【技術分野】
【０００１】
本発明は、筐体支持部により可動的に支持される筐体本体に保持された照明装置本体を備えた照明装置に関する。
【背景技術】
【０００２】
従来、演出空間用の照明装置としてプロジェクタを用いることがある。このようなプロジェクタは、プロジェクタ本体をチルト駆動、あるいはパン駆動などすることで、画像の照射方向および位置などを任意に制御できる（例えば、特許文献１参照。）。
【０００３】
具体的に、このようなプロジェクタは、プロジェクタ本体を収容する筐体本体が、所定の筐体支持部に対して可動的に支持された筐体を備えているとともに、この筐体が、台座部を介して天井、あるいは床面などの構造物に対して可動的に取り付けられている。
【０００４】
ところで、このようなプロジェクタにおいては、プロジェクタ本体を駆動させると、このプロジェクタ本体の内部光源装置から熱が発生するため、冷却ファンおよびその駆動用モータなどを有する冷却装置を内部に設けて、発生した熱を筐体本体の外部へと逃がすように構成されている。
【０００５】
このため、筐体本体には、冷却装置の駆動により外気をプロジェクタ本体へと取り込むための吸気口と、この取り込んだ外気を排気する排気口とが、それぞれ設けられている。
【特許文献１】特開平１０−３０１２０２号公報（第４−５頁、図１）
【発明の開示】
【発明が解決しようとする課題】
【０００６】
しかしながら、上述のプロジェクタは、天井から吊り下げたり、床面上に設置したりと、設置方向が可変であるとともに、プロジェクタ本体を筐体本体とともに可動的としていることから、プロジェクタ本体での照射方向に応じて、内部光源装置の冷却のための吸排気の効率が変化する。特に、画像を水平方向へと照射する場合および鉛直方向へと照射する場合、あるいは、床面上に置く置き設置の場合および天井から吊り下げる吊り設置の場合などで、吸気のための通風孔を確保することが容易でないという問題点を有している。
【０００７】
そのため、筐体本体の外形を大きくしたり、ファンによる強制空冷を施したり、あるいは、外観を損なうような通気孔を設けたりするなどの対応が必要となってしまう。
【０００８】
本発明は、このような点に鑑みなされたもので、設置状態および照明装置本体の動作位置に拘らず照明装置本体の冷却効率を確保した照明装置を提供することを目的とする。
【課題を解決するための手段】
【０００９】
請求項１記載の照明装置は、台座部通気孔を備え、構造物に設置される台座部と；冷却装置を備えた照明装置本体と；この照明装置本体を収容し、冷却装置の駆動により冷却用の外気を吸い込む吸気口と、この吸気口から吸い込まれ照明装置本体を冷却した外気を排気する排気口とを有する筐体本体、および、台座部に取り付けられ、吸気口と排気口との少なくともいずれか一方が台座部側に対向可能となるように筐体本体を可動的に支持するとともに、台座部通気孔と、台座部側に対向した吸気口と排気口とのいずれか一方とに連通する筐体通気孔を有する筐体支持部を備えた筐体と；を具備しているものである。
【００１０】
台座部は、台座部通気孔が設けられ、例えば、天井、あるいは床面などの構造物に設置されるものである。
【００１１】
冷却装置は、例えば、冷却ファンおよびこの冷却ファンを駆動させる駆動手段などが用いられる。
【００１２】
照明装置本体は、例えば、プロジェクタ、あるいはスポットライトなどが用いられる。
【００１３】
筐体本体は、例えば、照明装置本体を内部に収容した略円筒状に形成され、この照明装置本体からの光を照射可能にするもので、冷却装置の駆動により、吸気口から照明装置本体の冷却用の外気を吸い込むとともに排気口から排気するように構成されている。
【００１４】
筐体支持部は、例えば、吸気口や排気口が台座部側に対向可能となるように筐体本体の両端を回動可能に軸支しており、吸気口あるいは排気口が台座部側に対向した状態で、これら吸気口あるいは排気口を介して筐体本体の内部と連通するように筐体通気孔を有するものである。
【００１５】
そして、台座部を任意の構造物に設置した状態、あるいは、照明装置本体を収容した筐体本体を筐体支持部により動作させた状態でも、吸気口から、あるいは、台座部通気孔と筐体通気孔とを介して吸気口から筐体本体内部へと外気が吸い込まれ、また、排気口から、あるいは台座部通気孔と筐体通気孔とを介して排気口から、筐体本体外部へと外気が排気されて照明装置本体が冷却されるため、設置状態および照明装置本体の動作位置に拘らず一定量の外気を筐体本体内に確実に通過させて、照明装置本体の冷却効率が向上する。
【００１６】
請求項２記載の照明装置は、請求項１記載の照明装置において、筐体内でかつ照明装置本体の外部に設けられ、筐体内に照明装置本体から発生した熱を、照明装置本体を介することなく排気口側へと送るファンを具備しているものである。
【００１７】
ファンは、例えば筐体内にて照明装置本体の側部のデッドスペースなどに配置されている。
【００１８】
そして、筐体内でかつ照明装置本体の外部に設けたファンにより、筐体内に照明装置本体から発生した熱を、照明装置本体を介することなく排気口側へと送ることで、照明装置本体から発生した熱が再度照明装置本体内へと回り込むことが防止され、照明装置本体の冷却効率が確保される。
【００１９】
請求項３記載の照明装置は、請求項１または２記載の照明装置において、台座部は、構造物から台座部を露出した状態で吊り下げられる吊り下げ設置、天井側に設けられた孔部へ埋め込んで天井の上方の構造物に設置する埋め込み設置、および、所定の設置面上への置き設置のいずれかの設置を可能としたものである。
【００２０】
天井板は、例えば、演出空間などの天井を構成するものである。
【００２１】
孔部は、例えば、台座部の形状に対応して丸孔状などの形状で天井板に設けられるものである。
【００２２】
設置面は、例えば、床面、あるいは所定の置き台などが用いられる。
【００２３】
そして、台座部側を、構造物から露出した状態で吊り下げ設置したり、天井側に設けられた孔部へ埋め込んで天井の上方の構造物に設置したり、所定の設置面上へ置き設置したりすることを可能とすることで、設置場所の選択幅が広がり、汎用性が向上する。
【発明の効果】
【００２４】
請求項１記載の照明装置によれば、台座部を任意の構造物に設置した状態、あるいは、照明装置本体を収容した筐体本体を筐体支持部により任意に動作させた状態でも、吸気口から、あるいは、台座部通気孔と筐体通気孔とを介して吸気口から、筐体本体内部へと外気を吸い込み、また、排気口から、あるいは台座部通気孔と筐体通気孔とを介して排気口から、筐体本体外部へと外気を排気して照明装置本体を冷却するため、設置状態および照明装置本体の動作位置に拘らず一定量の外気を筐体本体内に確実に通過させて、照明装置本体の冷却効率を向上できる。
【００２５】
請求項２記載の照明装置によれば、請求項１記載の照明装置の効果に加えて、筐体内でかつ照明装置本体の外部に設けたファンにより、筐体内に照明装置本体から発生した熱を、照明装置本体を介することなく排気口側へと送ることで、照明装置本体から発生した熱が再度照明装置本体内へと回り込むことを防止でき、照明装置本体の冷却効率を確保できる。
【００２６】
請求項３記載の照明装置によれば、請求項１または２記載の照明装置の効果に加えて、台座部側を、構造物から露出した状態で吊り下げ設置したり、天井側に設けられた孔部へ埋め込んで天井の上方の構造物に設置したり、所定の設置面上へ置き設置したりすることを可能とすることで、設置場所の選択幅が広がり、汎用性を向上できる。
【発明を実施するための最良の形態】
【００２７】
以下、本発明の一実施の形態を図面を参照して説明する。
【００２８】
図１ないし図１１に第１の実施の形態を示し、図１は照明装置の置き設置状態での水平照射を示す側面図、図２は照明装置の台座部を示す平面図、図３は照明装置の置き設置状態での水平照射を示す正面図、図４は照明装置の筐体側の置き状態での水平照射を示す平面図、図５は照明装置の置き設置状態での水平照射を示す背面図、図６は照明装置の置き設置状態での上方照射を示す側面図、図７は照明装置の置き設置状態での上方照射を示す正面図、図８は照明装置の吊り設置状態での水平照射を示す側面図、図９は照明装置の吊り設置状態での水平照射を示す正面図、図１０は照明装置の吊り設置状態での下方照射を示す側面図、図１１は照明装置の吊り設置状態での下方照射を示す正面図である。
【００２９】
図１ないし図１１において、11は演出空間用の照明システムであり、この照明システム11は、照明装置12を、例えば図１ないし図７に示すように構造物としての設置面である置き台13、あるいは床面など上に置き設置したり、図８ないし図１１に示すように天井を構成する天井板Ｃの内部に設けられた構造物15、あるいは天井板Ｃに直接、吊り下げ固定したりするものである。
【００３０】
照明装置12は、例えば、プロジェクタ、あるいは、ムービングライトやリモコンライトを含むスポットライトなどであり、本実施の形態では、以下、プロジェクタとして説明する。
【００３１】
そして、この照明装置12は、照明装置本体であるプロジェクタ本体21を収容する筐体22を備え、この筐体22に、円形固定台座である台座部23が設けられ、この台座部23に対して筐体22が回動可能に接続されている。
【００３２】
プロジェクタ本体21は、例えば平坦な直方体状の照明装置本体用筐体であるプロジェクタ筐体25内部に、図示しない光源、光学系および液晶パネルなどが配設され、入力された映像信号を、前部に設けられた投射レンズ部26からスクリーンなどに光すなわち画像Ｌとして照射させるためのものである。また、プロジェクタ筐体25の内部には、図示しない冷却装置と温度検知手段である温度センサとが設けられている。さらに、このプロジェクタ筐体25には、背面側に照明装置吸気口である複数のプロジェクタ吸気口28が開口形成されているとともに、投射レンズ部26側である前面側に照明装置排気口である複数のプロジェクタ排気口29が開口形成されている。
【００３３】
冷却装置は、例えば冷却ファンおよびこの冷却ファンを駆動させるファン駆動手段であるモータなどにより構成され、プロジェクタ本体21の内部に配設されている。そして、この冷却装置は、駆動によりプロジェクタ吸気口28から外気をプロジェクタ筐体25内へと吸い込み、この内部を冷却した外気をプロジェクタ排気口29から排気するように構成されている。
【００３４】
温度センサは、プロジェクタ筐体25内の温度を検知し、この温度が予め設定された所定値を超えると、光源を消灯してプロジェクタ本体21からの画像Ｌの照射を停止させるものである。
【００３５】
また、筐体22は、プロジェクタ本体21を内部に収容する略円筒状の筐体本体31を有し、この筐体本体31の軸方向の両端部が、筐体支持部としての筐体軸支部32により軸支されている。
【００３６】
筐体本体31は、前面側に、プロジェクタ本体21の投射レンズ部26が対向する丸孔状の開口35が軸方向の一端側寄りに形成され、プロジェクタ本体21の駆動によりこのプロジェクタ本体21から排気される排気風を筐体22の外部へと排気する複数の排気口36が規則的に開口形成され、さらに、開口35の台座部23寄りの位置に、プロジェクタ本体21からのオートフォーカス用の赤外線を照射する赤外線照射部37が形成され、かつ、背面側の開口35と対向する位置に、プロジェクタ本体21などの冷却用の外気を吸い込む吸気口38が形成されている。
【００３７】
排気口36は、開口35からの画像Ｌの照射方向と同方向に開口されている。また、この排気口36は、プロジェクタ本体21のプロジェクタ排気口29に対応する領域に設けられ、これらプロジェクタ排気口29からの排気を筐体本体31の外部へと排気可能に構成されている。
【００３８】
また、吸気口38は、プロジェクタ本体21のプロジェクタ吸気口28に対応する領域であるプロジェクタ筐体25の背面側全体に対向する領域に設けられ、筐体本体31の外気を、プロジェクタ吸気口28を介してプロジェクタ筐体25内へと吸気可能に構成されている。さらに、この吸気口38は、筐体本体31の筐体軸支部32による回動方向に所定の幅寸法を有するように形成されている。
【００３９】
そして、排気口36と吸気口38とは、筐体本体31において、互いに対向する位置に開口形成されている。
【００４０】
また、筐体軸支部32は、筐体本体31のチルト駆動用のドラムユニットであり、筐体本体31の両端に位置して上下方向に沿って形成された軸支部本体41，41と、これら軸支部本体41，41の前側および後側を連結する連結部42，42とを備えている。さらに、筐体軸支部32内には、筐体本体31を回動可能に軸支する支持腕43が収容されている。そして、筐体軸支部32は、筐体本体31に対向する連結部42，42間に、連通開口44が開口形成されているとともに、台座部23に対向する部分が閉塞板部45により閉塞されている。
【００４１】
連結部42は、プロジェクタ本体21が画像Ｌを投射する側と、その反対側とに位置し、外郭から立ち上がる第１板部である垂直板42aと、この垂直板42aから筐体本体31に対向して傾斜状に形成された第２板部である傾斜板42bとを備え、所定の厚みを有している。
【００４２】
垂直板42aは、台座部23の外形に沿って、この台座部23を上下方向に所定寸法延長するように形成されている。
【００４３】
傾斜板42bは、筐体軸支部32の台座部23側を覆う目隠し板となるもので、筐体本体31に向けて、台座部23から離間されるように傾斜状に形成され、先端部が筐体本体31の外周面に略隙間なく接近している。また、この傾斜板42bは、筐体本体31がチルト駆動した際のプロジェクタ本体21による水平方向の照射角度を維持するように設定されている。換言すれば、この傾斜板42bは、プロジェクタ本体21による水平方向への予め設定された最大照射角度位置にて、画像Ｌを遮らないように設けられている。そして、この傾斜板42bのプロジェクタ本体21側である先端側を台座部23から離間するように傾斜させることにより、この傾斜板42bの内方である連結部42の内部に、廃熱用の通気経路Ｄを形成している。
【００４４】
支持腕43は、軸支部本体41，41に沿って上下方向に延設された腕部43a，43aと、筐体22の径方向に沿って連結部42，42内に水平状に設けられた腕連結部43b，43bとを有し、正面視で略コ字状に形成されている。
【００４５】
各腕部43aは、自由端側が筐体本体31の中心軸の両端側に対向しており、筐体本体31の軸方向の両端部をチルト回動軸47にて回動可能に軸支している。このため、筐体本体31は、内部に収容された図示しないモータなどの駆動手段によりチルト回動軸47を中心として相対的に回動すなわちチルト駆動されるように構成されている。
【００４６】
また、各腕連結部43bは、各腕部43aの前後それぞれを連結するように形成されている。
【００４７】
また、連通開口44は、図６あるいは図１０に示すように、筐体本体31がチルト駆動した状態で、筐体本体31の吸気口38と対向し、この吸気口38と連通するように形成されている。
【００４８】
また、閉塞板部45は、隙間Ｇを介して台座部23と対向している。そして、この閉塞板部45には、連通開口44に連通する複数の通気開口48が穿設されている。
【００４９】
ここで、これら通気開口48は、複数ずつで開口群をなし、この開口群が、平面視で軸支部本体41，41よりも筐体22の中央側で、かつ、連結部42，42の間の位置にて例えば左右２箇所に２列ずつ配設されて、前後左右にそれぞれ対称となっている。そして、これら通気開口48と連通開口44とにより、筐体通気孔としての第１通気孔49が構成されている。
【００５０】
一方、台座部23は、環状の枠体である外周部51を備え、この外周部51の筐体22と反対側の端部が、天板部52により閉塞され、平面視で円形状に形成されている。また、この台座部23の筐体22に対向する部分は、開口53となっている。そして、この台座部23の内部には、モータなどの駆動手段54を備えているとともに、この駆動手段54の駆動を筐体22側に伝達する図示しない駆動部などの制御部を内部に収容した制御部収容板55を備え、駆動手段54により、駆動部を介して、筐体22がパン回転軸56を中心として周方向に回動すなわちパン駆動されるように構成されている。
【００５１】
したがって、プロジェクタ本体21は、筐体軸支部32および台座部23により可動的に保持され、画像の照射方向および位置などを任意に制御可能となっている。
【００５２】
外周部51は、前後に位置する区画部58，58と、これら区画部58，58の両側間に円弧状に位置する外郭部59，59とを有し、平面視で円形状に形成されている。
【００５３】
各区画部58は、天板部52に対して凹状に窪んだ空間部61をそれぞれ区画しており、照明装置12を運搬などのために把持する際に各連結部42の傾斜板42bとの間で把持される部分である。なお、各連結部42と各区画部58との上下方向の距離は、例えば成人男性の掌の長さなどに対応させて設定されている。また、各区画部58には、空間部61内に位置して端子部62が形成されている。そして、前側および後側の各端子部62には、プロジェクタ本体21側と外部回路とを電気的に接続するための各種端子62a，62bが設けられている。
【００５４】
天板部52には、平面視で四角形状の取付板63を介して脚部64が取り付けられているとともに、この取付板63まで貫通して複数の天板通気開口65が設けられている。そして、この天板部52には、照明装置12を置き台13上に置き設置する際の脚部64(取付板63)と、照明装置12を構造物15に吊り設置する際の取付部材としての器具取付板67とが選択的に取り付け可能となっている。
【００５５】
脚部64は、取付板63の四隅にて天板通気開口65を避ける位置に設けられている。
【００５６】
また、天板通気開口65は、複数ずつで開口群をなし、これら開口群が、例えば前後左右のそれぞれに、すなわち４箇所に２列ずつ配設され、前後左右対称となっている。また、これら天板通気開口65は、互いに対向する位置の開口群が、平面視で筐体22側の通気開口48と略対応する位置となるように配設されている。換言すれば、天板通気開口65と通気開口48とは、パン回転軸56を中心とする同一円周上で、かつ、パン回転軸56について対称な位置を中心として対をなすように開口群を形成している。そして、これら天板通気開口65と開口53とにより、第１通気孔49と連通する台座部通気孔としての第２通気孔69が構成されている。
【００５７】
また、器具取付板67は、天板部52に対して突出するように取り付けられており、固定金具74との位置決め用の図示しない孔部、突部、および、照明装置12の回り止め用のピンなどがそれぞれ設けられている。
【００５８】
したがって、脚部64および器具取付板67により、照明装置12は、置き台13および構造物15に対して天板部52が離間されるように取り付けられる。すなわち、第２通気孔69は、置き台13および構造物15から離間された位置に形成されている。
【００５９】
また、天井板Ｃには、例えば照明装置12を埋め込む孔部としての埋込孔71が穿設されている。
【００６０】
また、構造物15は、例えば、吊りパイプなどであり、埋込孔71に対向する位置に配設され、天井板Ｃの上面に対して上方に離間されている。そして、この構造物15には、照明装置12の器具取付板67と対をなして取付装置を構成する固定部材としての固定金具74が取り付けられる。
【００６１】
この固定金具74は、構造物15に沿って長手状に形成された平板状の金具本体76と、この金具本体76の下方へと屈曲された両側から略水平フランジ状に延設された固定フランジ部77，77とを有し、金具本体76の長手方向の両端部近傍にて、構造物15の上部に亘ってＵボルト78，78が締着されることで、構造物15に固定されている。また、金具本体76には、器具取付板67側とで対をなし照明装置12の取り付けの際の位置決めおよび回り止めをするための各種突部および孔部などが設けられている。
【００６２】
次に、上記第１の実施の形態の作用を説明する。
【００６３】
まず、図１ないし図７に示すように、置き台13上に照明装置12を設置する、いわゆる置き設置の場合には、照明装置12の天板部52に取付板63を介して脚部64を取り付け、台座部23の脚部64側を下側として置き台13に設置する。
【００６４】
そして、図１ないし図４に示すように、画像Ｌを水平照射する場合には、プロジェクタ本体21が水平状となるように筐体本体31を回動させることで、吸気口38および排気口36がそれぞれ水平方向に向けて開口する位置となる。
【００６５】
この状態で、プロジェクタ本体21の駆動により、このプロジェクタ本体21の冷却装置が駆動し、図１および図４の各矢印W1に示すように、背面側の吸気口38から筐体本体31の外部の空気すなわち外気が筐体本体31内へと吸い込まれ、この外気が筐体本体31内でプロジェクタ本体21のプロジェクタ吸気口28からプロジェクタ筐体25内へと吸い込まれ、このプロジェクタ筐体25内を冷却し、プロジェクタ排気口29からプロジェクタ筐体25の外部である筐体本体31内へと排気され、さらに、排気口36から筐体本体31の外部へと排気される。
【００６６】
なお、この状態では、駆動手段54により筐体22をパン駆動させても、冷却用の空気が通過する風路は一定である。
【００６７】
また、この置き設置状態で、駆動手段の駆動により、図６および図７に示すように、筐体本体31がチルト回動軸47を中心として回動し、プロジェクタ本体21の投射レンズ部26が上方に向くように、すなわち画像Ｌを上方照射する位置となった場合には、筐体本体31の吸気口38が筐体軸支部32の連通開口44に対向してこの連通開口44と連通する。
【００６８】
このため、プロジェクタ本体21の駆動により、このプロジェクタ本体21の冷却装置が駆動し、図６および図７の各矢印W2に示すように、天板通気開口65から、台座部23と置き台13との隙間を介して台座部23内へと外気が吸い込まれ、この天板通気開口65と連通する開口53、この開口53と連通する通気開口48、この通気開口48と連通する連通開口44および吸気口38と順次通過して筐体本体31内へと吸い込まれ、この外気が筐体本体31内でプロジェクタ本体21のプロジェクタ吸気口28からプロジェクタ筐体25内へと吸い込まれ、このプロジェクタ筐体25内を冷却し、プロジェクタ排気口29からプロジェクタ筐体25の外部である筐体本体31内へと排気され、さらに、排気口36から筐体本体31の外部へと排気される。
【００６９】
また、この状態では、駆動手段54により筐体22を任意にパン駆動させた際でも、筐体22の通気開口48は任意の位置で台座部23の開口53と連通しているので、一定量の外気が筐体本体31内へと吸い込まれる。
【００７０】
なお、このとき、駆動手段54の制御用の制御部などからの廃熱は、連結部42内の通気経路Ｄを介して放熱される。
【００７１】
一方、図８ないし図１１に示すように、天井板Ｃに設けた埋込孔71に照明装置12の台座部23側を埋め込んで構造物15に照明装置12を吊り下げる、いわゆる吊り設置の場合には、照明装置12の天板部52に、脚部64に代えて器具取付板67を取り付けて、この器具取付板67を、構造物15に固定した固定金具74に接続する。
【００７２】
そして、図８および図９に示すように、画像Ｌを水平照射する場合には、上記置き設置状態での水平照射状態と同様に、プロジェクタ本体21が水平状となるように筐体本体31を回動させることで、吸気口38および排気口36がそれぞれ水平方向に向けて開口する位置となる。
【００７３】
この状態で、プロジェクタ本体21の駆動により、このプロジェクタ本体21の冷却装置が駆動し、図８および図９の各矢印W3に示すように、背面側の吸気口38から筐体本体31の外部の空気すなわち外気が筐体本体31内へと吸い込まれ、この外気が筐体本体31内でプロジェクタ本体21のプロジェクタ吸気口28からプロジェクタ筐体25内へと吸い込まれ、このプロジェクタ筐体25内を冷却し、プロジェクタ排気口29からプロジェクタ筐体25の外部である筐体本体31内へと排気され、さらに、排気口36から筐体本体31の外部へと排気される。
【００７４】
なお、この状態では、駆動手段54により筐体22をパン駆動させても、冷却用の空気が通過する風路は一定である。
【００７５】
また、この吊り設置状態で、駆動手段の駆動により、図１０および図１１に示すように、筐体本体31がチルト回動軸47を中心として回動し、プロジェクタ本体21の投射レンズ部26が下方に向くように、すなわち画像Ｌを下方照射する位置となった場合には、筐体本体31の吸気口38が筐体軸支部32の連通開口44に対向してこの連通開口44と連通する。
【００７６】
このため、プロジェクタ本体21の駆動により、このプロジェクタ本体21の冷却装置が駆動し、図１０および図１１の各矢印W4に示すように、天板通気開口65から、台座部23と置き台13との隙間を介して台座部23内へと外気が吸い込まれ、この天板通気開口65と連通する開口53、この開口53と連通する通気開口48、この通気開口48と連通する連通開口44および吸気口38と順次通過して筐体本体31内へと吸い込まれ、この外気が筐体本体31内でプロジェクタ本体21のプロジェクタ吸気口28からプロジェクタ筐体25内へと吸い込まれ、このプロジェクタ筐体25内を冷却し、プロジェクタ排気口29からプロジェクタ筐体25の外部である筐体本体31内へと排気され、さらに、排気口36から筐体本体31の外部へと排気される。
【００７７】
また、この状態では、駆動手段54により筐体22を任意にパン駆動させた際でも、筐体22の通気開口48は任意の位置で台座部23の開口53と連通しているので、一定量の外気が筐体本体31内へと吸い込まれる。
【００７８】
以上のように、上記第１の実施の形態によれば、台座部23を置き台13、あるいは構造物15などの任意の構造物に取り付けた状態でも、プロジェクタ本体21を収容した筐体本体31を筐体軸支部32あるいは台座部23の駆動手段54により動作させた状態でも、第１通気孔49と第２通気孔69とを介して吸気口38から筐体本体31内部へと外気を吸い込むことができ、この吸い込んだ外気によりプロジェクタ本体21を冷却するため、照明装置12の設置状態およびプロジェクタ本体21の動作位置に拘らず、一定量の外気を筐体本体31内に確実に通過させて、プロジェクタ本体21の冷却効率を向上できる。
【００７９】
また、通気孔49，69のみで通気量を確保できるため、通気孔を確保するために照明装置12の外形を大きくしたり、ファンによる強制空冷や外観(デザイン)を損なうような通気孔を設けたりするなどの対応が不要となり、照明装置12および照明システム11の小型化も可能になる。
【００８０】
しかも、第１通気孔49は、台座部23に対向する通気開口48と筐体本体31に対向する連通開口44とで構成され、第２通気孔69は、筐体22に対向する開口53と置き台13あるいは構造物15に対向する天板部52に設けた天板通気開口65とで構成されているため、これら通気孔49，69が目立ちにくく、照明装置12の外観を損なうことがない。
【００８１】
また、筐体本体31の排気口36を、画像Ｌの照射方向に開口させたので、この排気口36が台座部23側に対向するように筐体本体31を回動させると、画像Ｌが照射できなくなってしまうため、このように排気口36が台座部23側に対向するように筐体本体31を回動させることはないから、吸気口38のみが第１通気孔49に連通するように構成するだけで、一定量の外気を確実に筐体本体31内に吸い込むことができる。
【００８２】
さらに、照明装置12は、置き台13などの設置面上に置き設置したり、天井板Ｃから台座部23を露出した状態で吊り下げる吊り下げ設置としたり、天井側の埋込孔71に埋め込んで構造物15に設置する埋め込み設置したりできるため、設置位置の選択幅が広がり、汎用性が向上するとともに、いずれの設置状態でも、上述のように通気性を確保でき、プロジェクタ本体21の冷却効率の低下を抑制できる。
【００８３】
そして、台座部23の筐体本体31に対向する側を覆う部分に、例えば平板状の目隠し板などを設けるなど、連結部42を配設しないと、制御部からの廃熱を放熱することが容易でなくなる一方で、この目隠し板などに放熱用の孔部を設けると、この孔部から内部の配線などが見えてしまい、見栄えが良好でないだけでなく、塵埃などの進入の原因ともなり、さらには、照明装置12を正面から見た場合に筐体本体31全体が見えてしまうことで筐体本体31の動作が目立つ。このため、連結部42に、台座部23に対して傾斜状の傾斜板42bを設け、この傾斜板42bを台座部23の筐体本体31に対向する側を覆う目隠し板とすることで、この傾斜板42bの内方にて連結部42の内部を空洞にして、制御部からの廃熱用の通気経路Ｄを形成することにより、放熱性を確保できるとともに、筐体本体31の台座部23側が傾斜板42bに隠れるため、台座部23の内部や筐体本体31全体が見えてしまうこともなく、見栄えを向上しつつ、筐体本体31の動作を目立ちにくくできる。
【００８４】
さらに、各連結部42を所定の厚みに形成することで、各区画部58との距離を例えば成人男性の掌の長さなどに対応させて設定することにより、例えば各区画部58に親指を掛け、各連結部42の傾斜板42bに他の指を掛けるなどして照明装置12を把持することで、この照明装置12を運搬する際に持ちやすくなる。
【００８５】
そして、埋込孔71に埋め込んで取り付ける場合には、特に天井の高さが低い場合には、可能な限り照明装置12を深く埋め込んで設置することが望まれるので、連結部42に垂直板42aを設けて台座部23を延長するようにしたことで、この垂直板42aの部分まで埋込孔71に埋め込んで天井板Ｃに対して深く設置でき、天井板Ｃから下方に突起させないように施工できる。すなわち、連結部42を例えば平板状とした場合には、図８の想像線Ａに示すように、台座部23の位置が天井面となるため、照明装置12の台座部23よりも下側の部分が全て天井面から突出するのに対して、本実施の形態のように、連結部42の所定の厚みを持たせることで、天井板Ｃの位置を垂直板42aの下端の位置とすることができ、この垂直板42aの上下方向寸法分、照明装置12を埋込孔71に対して深く埋め込むことができる。
【００８６】
次に、図１２および図１３に第２の実施の形態を示し、図１２は照明装置の吊り設置状態での水平照射を示す側面図、図１３は照明装置の吊り設置状態での下方照射を示す側面図である。
【００８７】
この第２の実施の形態は、筐体本体31内に複数、例えば２つのファン81，82を設けたものである。なお、以下、この第２の実施の形態は、照明装置12を天井板Ｃの埋込孔71内の構造物Ｃに吊り下げた吊り設置状態として説明するが、天井に直接吊り下げる吊り設置状態、あるいは、台座部23側を設置面上に設置する置き設置状態などでも同様に対応できることは言うまでもない。
【００８８】
ファン81は、プロジェクタ本体21に対して、図１２に示す水平状態での下側で、かつ、筐体本体31の排気口36に対向する位置に配設されている。
【００８９】
また、ファン82は、プロジェクタ本体21に対して、図１２に示す水平状態での上側で、かつ、筐体本体31の排気口36に対向する位置に配設されている。
【００９０】
すなわち、ファン81，82は、プロジェクタ本体21内の冷却装置の駆動により発生するプロジェクタ吸気口28からプロジェクタ排気口29への空気の流れ方向に対して側方に配設され、プロジェクタ本体21に対して互いに反対側に配設されている。換言すれば、ファン81，82は、プロジェクタ排気口29に対向しない位置に配設されている。
【００９１】
そして、図１２に示すように、画像Ｌを水平照射する位置の場合には、プロジェクタ本体21から筐体本体31内に発生した廃熱Ｈが、ファン81，82の駆動により、プロジェクタ本体21を介することなく排気口36から筐体本体31の外部へと直接排出される。
【００９２】
また、駆動手段の駆動により、図１３に示すように、筐体本体31がチルト回動軸47を中心として回動し、画像Ｌを下方照射する位置となった場合には、筐体本体31の吸気口38が筐体軸支部32の連通開口44に対向してこの連通開口44と連通するものの、吸気口38から直接外気を吸い込む場合よりも、筐体本体31内への外気の吸い込みが若干低下する。この場合でも、プロジェクタ本体21から筐体本体31内に発生した廃熱Ｈは、ファン81，82の駆動により、プロジェクタ本体21を介することなく排気口36から筐体本体31の外部へと直接排出される。
【００９３】
このように、台座部23を任意の構造物に設置した状態、あるいは、プロジェクタ本体21を収容した筐体本体31を筐体軸支部32あるいは台座部23の駆動手段54により動作させた状態でも、第１通気孔49と第２通気孔69とを介して吸気口38から筐体本体31内部へと外気を吸い込むことができ、この吸い込んだ外気によりプロジェクタ本体21を冷却するなど上記第１の実施の形態と同様の構成を有することにより、上記第１の実施の形態と同様の作用効果を奏することができる。
【００９４】
また、プロジェクタ本体21から発生した廃熱Ｈを、プロジェクタ本体21を介することなく排気口36側へと送るファン81，82を筐体本体31内に配設することにより、吊り設置状態での下方照射時など、筐体本体31の吸気口38から直接外気を吸い込むことができない場合でも、プロジェクタ本体21からの廃熱Ｈを確実に筐体本体31の外部へと排出でき、雰囲気温度が規定値内であれば、筐体本体31の向きをどのように設定しても、プロジェクタ本体21の温度が所定値よりも上昇することを防止でき、この温度上昇を検知した温度センサの動作によりプロジェクタ本体21からの画像Ｌの照射が停止することを防止でき、プロジェクタ本体21の冷却効率を確保できる。
【００９５】
すなわち、照明装置12のデザインを追及し、内部が極力見えない構造とした場合には、外気を吸い込むことができる隙間が筐体本体31に少なくなり、このような筐体本体31内にファンを配設する場合には、筐体22の向きを変化させることで吸気口38から外気を取り込みにくくなったなど際に、例えば図１３中の想像線Ｂの位置など、その配設位置によってはプロジェクタ本体21からの廃熱Ｈをプロジェクタ本体21内へと回り込ませてしまい、その熱によって温度センサが動作し、プロジェクタ本体21からの画像Ｌの照射が停止するおそれがある。このため、本実施の形態のように、プロジェクタ本体21からの廃熱Ｈを排気口36から直接排出する位置にファン81，82を設けることで、照明装置12を動作させた場合でも、廃熱Ｈがプロジェクタ本体21内へと回り込むことを防止できる。
【００９６】
特に、吊り設置状態で下方照射する際には、プロジェクタ本体21の投射レンズ部26と反対側に位置するプロジェクタ吸気口28が上側に位置するので、上昇したプロジェクタ本体21からの廃熱Ｈがプロジェクタ吸気口28側に回り込みやすくなるため、この廃熱Ｈをファン81，82により筐体本体31の外部に排出することで、吊り設置状態で下方照射する際の廃熱Ｈの回り込みを、確実に防止できる。
【００９７】
さらに、上記のようにファン81，82を配設することで、ファンのパワーを上げたり、ファンの数を必要以上に増やしたりせずに済むため、パワーが大きいファンの駆動により騒音が大きくなったり、ファンの数の増加によりコストが高くなったりすることもない。
【００９８】
そして、ファン81，82は、筐体本体31内のデッドスペースに配設しているため、筐体22が必要以上に大きくなることもない。
【００９９】
なお、上記各実施の形態において、筐体本体31の吸気口38および排気口36の配設位置は、プロジェクタ本体21のプロジェクタ吸気口28およびプロジェクタ排気口29の配設位置と対応すれば任意に設定できる。例えば筐体本体31の前側に吸気口38を設け、背面側に排気口36を設ける場合などには、置き設置状態での上方照射時、あるいは、吊り設置状態での下方照射時に、排気口36が第１通気孔49の連通開口44に連通するように構成することで、上記各実施の形態と同様の作用効果を奏することができる。
【０１００】
また、吸気口38および排気口36を画像Ｌの照射方向と無関係な位置に設ける場合には、筐体本体31の回動時に、これら吸気口38および排気口36のいずれか一方が選択的に第１通気孔49の連通開口44に連通するように構成することで、上記実施の形態と同様の作用効果を奏することができる。
【０１０１】
さらに、照明装置12を設置する構造物としては、上記置き台13、床面、天井板Ｃおよび構造物15などの他にも、任意のものを選択できる。
【０１０２】
そして、筐体軸支部32の台座部23側を閉塞する閉塞板部45を設けない構成とすることも可能である。この場合には、筐体軸支部32の台座部23側全体が筐体通気孔である開口となり、筐体22側がパン駆動した状態でも、この筐体軸支部32の開口が第２通気孔69に、確実に連通する。
【図面の簡単な説明】
【０１０３】
【図１】本発明の第１の実施の形態の照明装置の置き設置状態での水平照射を示す側面図である。
【図２】同上照明装置の台座部を示す平面図である。
【図３】同上照明装置の置き設置状態での水平照射を示す正面図である。
【図４】同上照明装置の筐体側の置き状態での水平照射を示す平面図である。
【図５】同上照明装置の置き設置状態での水平照射を示す背面図である。
【図６】同上照明装置の置き設置状態での上方照射を示す側面図である。
【図７】同上照明装置の置き設置状態での上方照射を示す正面図である。
【図８】同上照明装置の吊り設置状態での水平照射を示す側面図である。
【図９】同上照明装置の吊り設置状態での水平照射を示す正面図である。
【図１０】同上照明装置の吊り設置状態での下方照射を示す側面図である。
【図１１】同上照明装置の吊り設置状態での下方照射を示す正面図である。
【図１２】本発明の第２の実施の形態の照明装置の吊り設置状態での水平照射を示す側面図である。
【図１３】同上照明装置の吊り設置状態での下方照射を示す側面図である。
【符号の説明】
【０１０４】
12    照明装置
13    設置面である置き台
15    構造物
21    照明装置本体としてのプロジェクタ本体
22    筐体
23    台座部
31    筐体本体
32    筐体支持部としての筐体軸支部
36    排気口
38    吸気口
49    筐体通気孔としての第１通気孔
69    台座部通気孔としての第２通気孔
71    孔部としての埋込孔
81，82    ファン
【図１】
2008250279.tif 000003
【図２】
2008250279.tif 000004
【図３】
2008250279.tif 000005
【図４】
2008250279.tif 000006
【図５】
2008250279.tif 000007
【図６】
2008250279.tif 000008
【図７】
2008250279.tif 000009
【図８】
2008250279.tif 000010
【図９】
2008250279.tif 000011
【図１０】
2008250279.tif 000012
【図１１】
2008250279.tif 000013
【図１２】
2008250279.tif 000014
【図１３】
2008250279.tif 000015